(57)【特許請求の範囲】
【請求項１】
先端に景品が吊り下げ可能な複数の景品払い出し手段と、
少なくとも２つの前記景品払い出し手段に渡すように着脱可能に設けられ、景品を載置可能な景品積載シートと、
前記複数の景品払い出し手段にそれぞれ設けられ、前記景品払い出し手段を傾斜させる駆動手段とを備え、
前記各駆動手段は、独立した駆動及び他の前記駆動手段に同期した駆動が可能であり、
前記先端に景品が吊り下げられた前記景品払い出し手段に設けられた前記駆動手段は、独立して駆動して、前記先端に吊り下げた景品を払い出し、
前記景品積載シートを有する前記景品払い出し手段に設けられた前記駆動手段は、同期して駆動して、前記景品積載シートを傾斜させ、前記景品積載シートに載置された景品を払い出すことを特徴とする景品払い出し装置。
【請求項２】
請求項１に記載の景品払い出し装置において、
隣接する前記景品払い出し手段の間隔を、調整可能なレールを備えることを特徴とする景品払い出し装置。
【請求項３】
後端付近に設けられた回転軸で回転可能に支持されている複数の景品払い出し手段と、
先端が離れるようにセットされた隣接する前記景品払い出し手段に渡された景品積載シートにより景品を保持する景品保持部と、
前記隣接する景品払い出し手段の前記先端を接近させて前記景品積載シートを弛ませることによって傾斜がつき、後端側から先端側へ景品を滑り落とすことによって景品を払い出す駆動手段とを備えることを特徴とする景品払い出し装置。
【請求項４】
請求項３に記載の景品払い出し装置において、前記駆動手段は、前記隣接する景品払い出し手段を連結し、その景品払い出し手段を同時に回転させる連結棒を備えることを特徴とする景品払い出し装置。
【発明の詳細な説明】
【０００１】
【発明の属する技術分野】
本発明は、ゲーム機等における景品を払い出す景品払い出し装置に関するものである。
【０００２】
【従来の技術】
従来より、規定条件をクリアすると景品が払い出されるタイプのゲーム機が、人気を集めており、このようなゲーム機に好適な景品払い出し装置が、いろいろ提案されている。
例えば、登録実用新案第３０１６０９４号公報には、吊りヒモを有する景品の景品払い出し装置に関する考案が開示されている。具体的な構成としては、ピッチの粗いコイルバネをステーで支え、コイルの一端にモータの軸を連結したものであり、前記ピッチ間に景品の吊りヒモを掛け、モータの回転によって、景品の搬送や払い出しを行う。
【０００３】
【発明が解決しようとする課題】
しかし、前述した従来の景品払い出し装置は、コイルのピッチ間に景品の吊りヒモを吊り下げるので、吊りかたによっては、引っかかりが生じて、うまく搬送することができない。また、あまり大形の景品を吊り下げることもできない。
【０００４】
本発明の課題は、さまざまな大きさの景品をスムースに払い出すことができる景品払い出し装置を提供することである。
【０００５】
【課題を解決するための手段】
請求項１の発明は、先端に景品（５１）が吊り下げ可能な複数の景品払い出し手段（１２−１〜１２−４）と、少なくとも２つの前記景品払い出し手段に渡すように着脱可能に設けられ、景品（５２，５３）を載置可能な景品積載シート（１２ｂ）と、前記複数の景品払い出し手段にそれぞれ設けられ、前記景品払い出し手段を傾斜させる駆動手段（１３）とを備え、前記各駆動手段は、独立した駆動及び他の前記駆動手段に同期した駆動が可能であり、前記先端に景品（５１）が吊り下げられた前記景品払い出し手段（１２−１，１２−２）に設けられた前記駆動手段は、独立して駆動して、前記先端に吊り下げた景品を払い出し、前記景品積載シートを有する前記景品払い出し手段（１２−３及び１２−４、１２−１〜１２−４等）に設けられた前記駆動手段は、同期して駆動して、前記景品積載シートを傾斜させ、前記景品積載シートに載置された景品（５２，５３）を払い出すことを特徴とする景品払い出し装置である。
請求項２の発明は、請求項１に記載の景品払い出し装置において、隣接する前記景品払い出し手段（１２）の間隔を、調整可能なレール（１４）を備えることを特徴とする景品払い出し装置である。
【０００６】
請求項３の発明は、後端付近に設けられた回転軸（１１ａ）で回転可能に支持されている複数の景品払い出し手段（１２−１，１２−２）と、先端（１２ｆ）が離れるようにセットされた隣接する前記景品払い出し手段（１２−１，１２−２）に渡された景品積載シート（１２ｂ）により景品（５０）を保持する景品保持部と、前記隣接する景品払い出し手段（１２−１，１２−２）の前記先端（１２ｆ）を接近させて前記景品積載シート（１２ｂ）を弛ませることによって傾斜がつき、後端側から先端側へ景品（５０）を滑り落とすことによって景品（５０）を払い出す駆動手段と、を備えることを特徴とする景品払い出し装置である。
【０００７】
請求項４の発明は、請求項３に記載の景品払い出し装置において、前記駆動手段は、前記隣接する景品払い出し手段（１２−１，１２−２）を連結し、その景品払い出し手段（１２−１，１２−２）を同時に回転させる連結棒を備えることを特徴とする景品払い出し装置である。
【００１４】
【発明の実施の形態】
以下、図面等を参照して、本発明の実施の形態について、さらに詳しく説明する。
（第１実施形態）
図１は、本発明による景品払い出し装置の第１実施形態の全体を示す斜視図であり、図２は、その一部分の拡大図である。
景品払い出し装置１０は、フレーム１１と、景品払い出し部１２と、駆動部１３と、軌道レール１４とを備える。
【００１５】
フレーム１１は、本景品払い出し装置１０の骨組みとなる部分である。本実施形態では、図１に示す通り、４台のフレーム１１が軌道レール１４上に設けられている。また、図２に示す通り、フレーム１１は、回転軸１１ａを備え、景品払い出し部１２を回転自在に取り付けている。フレーム１１は、駆動モータ１３を取り付け、この駆動モータ１３によって景品払い出し部１２を作動させる。フレーム１１は、移動ローラ１１ｂを備え、その移動ローラ１１ｂを軌道レール１４に嵌め込んで軌道レール１４上を移動する。なお、移動ローラ１１ｂは、２個設けられているので、フレーム１１は、回転せずに平行に、矢印ａ方向に、移動する。
【００１６】
景品払い出し部１２は、保持している景品を払い出す部分である。景品払い出し部１２は、景品吊り下げ部１２ａを備える。景品払い出し部１２は、回転軸１１ａでフレーム１１に回転可能に取り付けられており、後述の通り、駆動板１３ｂによって、傾斜がつけられ、景品吊り下げ部１２ａに吊り下げている景品を滑り落とす。
また、景品払い出し部１２は、後述の通り、景品積載シート１２ｂを渡して、同期作動させることにより大形景品の払い出しを行うこともできる。景品払い出し部１２は、その同期作動するパターンを変更させて（後述、図６〜８参照）、さまざまな大きさの景品の払い出しを行うことができる。
【００１７】
駆動部１３は、景品払い出し部１２に傾斜をつけさせるための動力源であり、駆動モータ１３ａと、駆動板１３ｂとを備える。
駆動モータ１３ａは、フレーム１１に固定され、駆動板１３ｂを取り付けている。駆動モータ１３ａの電力は、ハーネス１３ｃより供給される。
駆動板１３ｂは、駆動モータ１３ａに、偏芯して取り付けられており、駆動モータ１３ａの回転によって、景品払い出し部１２を上下動させる。
【００１８】
軌道レール１４は、フレーム１１が移動するときの軌道を与えるレールである。軌道レール１４は、移動ローラ１１ｂを嵌め込み、フレーム１１を矢印ａ方向にスライド移動させる。
【００１９】
図３は、第１実施形態による景品払い出し装置を使用して吊り下げた景品を払い出す方法を示す斜視図であり、図３（Ａ）は、景品を吊り下げた状態を示す図、図３（Ｂ）は、景品を払い出す状態を示す図である。
景品払い出し部１２は、景品吊り下げ部１２ａに、景品５０を吊りヒモ５０ａで吊り下げる（図３（Ａ））。
駆動モータ１３ａが作動して、駆動板１３ｂを矢印ａ方向に回転させると、その駆動板１３ｂが、景品払い出し部１２の後方部分を矢印ｂ方向に押し上げる。そして、景品吊り下げ部１２ａが傾斜して、景品５０が矢印ｃ方向に滑り落ち、払い出される（図３（Ｂ））。
【００２０】
図４は、第１実施形態による景品払い出し装置を使用して積載した景品を払い出す方法を示す斜視図であり、図４（Ａ）は景品を積載した状態を示す図、図４（Ｂ）は景品を払い出す状態を示す図である。
一方の景品払い出し部１２−１は、他方の景品払い出し部１２−２との間に、景品積載シート１２ｂを張り、景品保持部を形成する。この景品積載シート１２ｂは、布製のものやネット状のもの等を使用することができる。
２台の景品払い出し部１２−１，１２−２は、同期して同時に作動し、景品積載シート１２ｂに積載する景品５０を滑らせて払い出す（図４（Ｂ））。
【００２１】
図５は、第１実施形態による景品払い出し装置の使用方法を説明する斜視図である。
図５（Ａ）に示すように、景品払い出し部１２−１，１２−２の景品吊り下げ部１２ａには、小形の景品５１が吊り下げられ、景品払い出し部１２−３，１２−４には、景品積載シート１２ｂが張られ、中形の景品５２が積載されている。景品払い出し部１２−１，１２−２は、それぞれ独立して作動し、景品払い出し部１２−３，１２−４は、同期して、同時に作動して、景品５１，５２を払い出す。
また、景品が大形のときは、図５（Ｂ）に示すように、景品払い出し部１２−１，１２−２，１２−３，１２−４に、景品積載シート１２ｂを張り、大形の景品５３を積載する。景品払い出し部１２−１，１２−２，１２−３，１２−４は、同期して、同時に作動して、景品５３を払い出す。
【００２２】
図６〜図８は、第１実施形態による景品払い出し部の同期パターンを示す図である。図６は、パターンＡ〜パターンＦを、図７は、パターンＧ〜パターンＬを、図８は、パターンＭ〜パターンＰを示す。
なお、景品払い出し部は、パターンＡに示すように、上段左側より下段右側に向かって、１２−１，１２−２，・・・・・，１２−７，１２−８とする。
また、各パターンにおいて、景品払い出し部１２−１〜１２−８に付された数字は、作動時の同期を示す。すなわち、パターンＡでは、８本の景品払い出し部１２−１〜１２−８は、すべて、それぞれ独立して作動する。パターンＢでは、景品払い出し部１２−１，１２−２は、同期して作動し、他の景品払い出し部１２−３〜１２−８は、それぞれ、独立して作動する。したがって、景品払い出し部１２−１，１２−２に、景品積載シート１２ｂを張り、その上に景品を積載することができる。
【００２３】
以下、パターンＣ〜パターンＰにおいても同様である。例えば、パターンＨにおいては、景品払い出し部１２−１〜１２−３は、同期して作動し、景品払い出し部１２−５，１２−６は、同期して作動し、景品払い出し部１２−４，１２−７，１２−８は、それぞれ、独立して作動する。したがって、景品払い出し部１２−１〜１２−３に、景品積載シートを張ってその上に景品を積載し、景品払い出し部１２−５，１２−６に、景品積載シートを張ってその上に景品を積載し、景品払い出し部１２−４，１２−７，１２−８には、景品を吊り下げることができる。また、例えば、パターンＮにおいては、景品払い出し部１２−１〜１２−４は、同期して作動し、景品払い出し部１２−５〜１２−７は、同期して作動し、景品払い出し部１２−８は、独立して作動する。したがって、景品払い出し部１２−１〜１２−４に、景品積載シートを張ってその上に景品を積載し、景品払い出し部１２−５〜１２−７に、景品積載シートを張ってその上に景品を積載し、景品払い出し部１２−８には、景品を吊り下げることができる。
装置使用者は、セットする景品の大きさや重量等を考慮して、同期パターンを選択する。
【００２４】
使用者は、景品払い出し装置１０を以下のように使用する。
（１）使用者は、セットする景品５０の大きさ、重さ等に基づいて、景品払い出し部１２−１〜１２−８を軌道レール１４に沿って移動し位置を調整する。
（２）次に、使用者は、景品払い出し部１２−１〜１２−８の同期組み合わせパターンを決定する。
（３）そして、使用者は、景品積載シート１２ｂを張り、景品５０をセットする。
【００２５】
本実施形態によれば、フレーム１１は、軌道レール１４上を移動することができるので、景品の大きさに合わせて、フレーム１１を自由に位置決めすることができる。
また、複数の景品払い出し部１２に景品積載シート１２ｂを張って景品５０を積載することができるので、さまざまな大きさ、重さの景品５０に対しても使用することができる。
【００２６】
（第２実施形態）
図９は、本発明による景品払い出し装置の第２実施形態を示す斜視図であり、図９（Ａ）は、景品を吊り下げる状態を示す図、図９（Ｂ）は、景品を払い出す状態を示す図である。
なお、以下に示す各実施形態では、前述した第１実施形態と同様の機能を果たす部分には、同一の符号を付して、重複する説明を適宜省略する。
駆動部１３の駆動板１３ｂは、回転軸１１ａよりも景品払出方向ｃの前側に位置する。
駆動モータ１３ａは、ステップモータであり、所定の角度だけ、回転して止まる。
景品払い出し部１２は、回転軸１１ａでフレーム１１に回転可能に取り付けられている。景品払い出し部１２は、駆動板１３ｂが矢印ａ方向に回転すると、景品吊り下げ部１２ａは、矢印ｂ方向に下降し、吊り下げている景品が矢印ｃ方向に滑り落ちる。このとき、駆動モータ１３ａは、所定角度だけ回転して止まるので、景品吊り下げ部１２ａは、段階的に下降する。
【００２７】
本実施形態によれば、景品吊り下げ部１２ａは、段階的に下降して景品が払い出されるが、いつの段階で景品が滑り落ちるかは、景品吊り下げ部１２ａと景品の吊りヒモとの摩擦による影響が大きく、偶然性の要素が大きい。そのため、遊技者にスリルを与えやすく、熱中させやすい。
また、回転軸１１ａから景品吊り下げ部１２ａまでの距離を長くとることができるので、吊り下げた景品の移動量を大きくすることができ、段階的に下降していく様子が遊技者にわかりやすい。
【００２８】
（第３実施形態）
図１０は、本発明による景品払い出し装置の第３実施形態を示す斜視図であり、図１０（Ａ）は、景品を吊り下げた状態を示す図、図１０（Ｂ）は、景品を払い出す状態を示す図である。
本実施形態の駆動部１３は、ピストンロッド１３ｅを上下動するアクチュエータ１３ｄである。ピストンロッド１３ｅは、矢印ａ方向に景品払い出し部１２を押し上げ、景品吊り下げ部１２ａを傾斜させて景品５０を矢印ｃ方向に滑り落とさせる。
また、停止スイッチ１３ｆを備え、景品払い出し部１２が上昇して所定の位置まで達すると、矢印ｂ方向に停止スイッチ１３ｆを押し、ピストンロッド１３ｅの動作を停止させる。
【００２９】
本実施形態によれば、駆動部にモータを使用しないので、安価に製造することができる。
【００３０】
（第４実施形態）
図１１は、本発明による景品払い出し装置の第４実施形態を示す斜視図であり、図１１（Ａ）は、景品を積載する状態を示す図、図１１（Ｂ）は、景品を払い出す状態を示す図である。
２本の景品払い出し部１２−１，１２−２が、後端付近に設けられた回転軸１１ａで、回転可能に支持されている。景品払い出し部１２−１，１２−２は、リンク１２ｃ，１２ｄで接続されており、そのリンク１２ｃ，１２ｄは、リンク１２ｅを介して、駆動モータ１３ａに接続されている。２本の景品払い出し部１２−１，１２−２に渡って、景品積載シート１２ｂが設けられている。景品払い出し部１２−１，１２−２は、先端１２ｆが離れるようにハの字状にセットされており、景品積載シート１２ｂは、張った状態になっている。
駆動モータ１３ａは、ステップモータであり、所定の角度だけ、回転して止まる。
【００３１】
駆動モータ１３ａが矢印ａ方向に回転すると、図１１（Ｂ）に示すように、景品払い出し部１２−１，１２−２は、矢印ｂ方向に移動して先端１２ｆが接近するように閉じ、景品積載シート１２ｂが張った状態から弛んだ状態になる。その際、景品払い出し部１２−１，１２−２の先端１２ｆ付近の弛み量のほうが、後端側よりも大きいので、景品積載シート１２ｂに傾斜がつき、積載された景品は、矢印ｃに示すように、後端側から先端側に滑り落ちる。
【００３２】
本実施形態によれば、景品積載シート１２ｂを弛ませて景品を滑り落とさせ払い出すので、いつの段階で景品が払い出されるかは、偶然性の要素が大きく、遊技者にスリルを与えて熱中させやすい。
【００３３】
（変形形態）
以上説明した実施形態に限定されることなく、種々の変形や変更が可能であって、それらも本発明の均等の範囲内である。
例えば、第２実施形態や第３実施形態においても、第１実施形態のように、複数の景品払い出し部１２−１，１２−２に景品積載シート１２ｂを張って景品５０を積載してもよい（図１２参照）。このようにしても、第１実施形態と同様に、景品払い出し部１２−１，１２−２の傾斜によって、景品５０を滑らせて払い出すことができる（図１２（Ｂ）参照）。
【００３４】
【発明の効果】
以上詳しく説明したように、本発明によれば、複数の景品払い出し手段に景品積載シートを取り付け、積載することができるので、さまざまな大きさ重さの景品に対しても使用することができる。
本発明によれば、景品払い出し手段は、レール上を移動することができるので、景品払い出し手段を自由に位置決めすることができる。
本発明によれば、景品積載シートの張られた景品払い出し手段を同時に作動させて景品を払い出すので、大形の景品に対しても使用することができる。
【００３５】
本発明によれば、景品積載シートの張られた景品払い出し手段の先端を接近させて、前記景品積載シートを弛ませ景品を払い出すので、遊技者の注目を集めることができる。
【００３６】
本発明によれば、隣接する景品払い出し手段を連結し、その景品払い出し手段を同時に回転させる連結棒を備えるので、一の動力で作動可能である。
【図面の簡単な説明】
【図１】発明による景品払い出し装置の第１実施形態の全体を示す斜視図である。
【図２】発明による景品払い出し装置の第１実施形態の一部分を示す斜視図である。
【図３】第１実施形態による景品払い出し装置を使用して吊り下げた景品を払い出す方法を示す斜視図である。
【図４】第１実施形態による景品払い出し装置を使用して積載した景品を払い出す方法を示す斜視図である。
【図５】第１実施形態による景品払い出し装置の使用方法を説明する斜視図である。
【図６】第１実施形態による景品払い出し部の同期パターンＡ〜Ｆを示す図である。
【図７】第１実施形態による景品払い出し部の同期パターンＧ〜Ｌを示す図である。
【図８】第１実施形態による景品払い出し部の同期パターンＭ〜Ｐを示す図である。
【図９】本発明による景品払い出し装置の第２実施形態を示す斜視図である。
【図１０】本発明による景品払い出し装置の第３実施形態を示す斜視図である。
【図１１】本発明による景品払い出し装置の第４実施形態を示す斜視図である。
【図１２】本発明による景品払い出し装置の第３実施形態の他の使用方法を示す斜視図である。
【符号の説明】
１０  景品払い出し装置
１１  フレーム
１１ａ  回転軸
１１ｂ  移動ローラ
１２  景品払い出し部
１２ａ  景品吊り下げ部
１２ｂ  景品積載シート
１２ｃ，１２ｄ，１２ｅ  リンク
１３  駆動部
１３ａ  駆動モータ
１３ｂ  駆動板
１３ｃ  ハーネス
１３ｄ  アクチュエータ
１３ｅ  ピストンロッド
１３ｆ  停止スイッチ
１４  軌道レール
５０  景品
５０ａ  吊りヒモ
【図１】
0003898409.tif 000002
【図２】
0003898409.tif 000003
【図３】
0003898409.tif 000004
【図４】
0003898409.tif 000005
【図５】
0003898409.tif 000006
【図６】
0003898409.tif 000007
【図７】
0003898409.tif 000008
【図８】
0003898409.tif 000009
【図９】
0003898409.tif 000010
【図１０】
0003898409.tif 000011
【図１１】
0003898409.tif 000012
【図１２】
0003898409.tif 000013